(57)【要約】【課題】  方法およびシステムで、ユーザが各自の装置を使用して、各自の企業ネットワークに自動的に接続できるようにモバイル装置にＶＰＮ（仮想プライベートネットワーク）情報を自動的にプロビジョニングする。【解決手段】  ＸＭＬベース機構は、ＷＡＰ（無線アプリケーションプロトコル）ＸＭＬ構造を使用し、その構造を拡張してＶＰＮ接続を定義し、無線を介して、または企業によって提供されるＩＴアプリケーションによってＶＰＮ接続を装置に自動的にプロビジョニングする。【選択図】  図４
2005100384.tif 000002
【特許請求の範囲】
【請求項１】
モバイル装置にＶＰＮ接続を定義する方法であって、
ＶＰＮ定義を作成すること、
前記ＶＰＮ定義をＷＡＰスキーマに組み込むこと、
前記モバイル装置からネットワークへの安全なトンネルを作成する前記ＷＡＰスキーマを使用して前記モバイル装置にＶＰＮ接続をプロビジョニングすること
を含むことを特徴とする方法。
【請求項２】
前記ＷＡＰスキーマは、ＸＭＬスキーマを使用するステップをさらに含むことを特徴とする請求項１に記載の方法。
【請求項３】
前記モバイル装置に前記ＶＰＮ接続をプロビジョニングするステップは、自動的に行われることを特徴とする請求項１に記載の方法。
【請求項４】
前記モバイル装置に前記ＶＰＮ接続をプロビジョニングするステップは、ＶＰＮ接続をＳＩＭカードにロードするステップをさらに含むことを特徴とする請求項１に記載の方法。
【請求項５】
前記ＶＰＮ定義を前記ＷＡＰスキーマに組み込むステップは、ＷＡＰ  ＸＭＬ構造を拡張して前記ＶＰＮ接続を定義するようにするステップをさらに含むことを特徴とする請求項２に記載の方法。
【請求項６】
前記モバイル装置にプロビジョニングするステップは、無線接続を使用して前記モバイル装置に自動的にプロビジョニングするステップをさらに含むことを特徴とする請求項５に記載の方法。
【請求項７】
前記モバイル装置にプロビジョニングするステップは、前記モバイル装置にプロビジョニングするアプリケーションを使用するステップをさらに含むことを特徴とする請求項６に記載の方法。
【請求項８】
前記ＶＰＮ定義を作成するステップは、前記ＷＡＰ  ＸＭＬスキーマに関連するスタンドアロン特性を作成するステップをさらに含むことを特徴とする請求項２に記載の方法。
【請求項９】
前記ＶＰＮ定義を作成するステップは、前記ＷＡＰ  ＸＭＬスキーマに関連する既存の特性を拡張するステップをさらに含むことを特徴とする請求項２に記載の方法。
【請求項１０】
モバイル装置に関連するＶＰＮ情報をプロビジョニングするシステムであって、
ＷＡＰ  ＸＭＬスキーマに組み込まれる前記ＶＰＮ情報に関連するデータを維持するように構成されているサーバと、
前記サーバに結合されており、安全なトンネルを介してネットワークと通信できるようにする前記ＶＰＮ情報を受信するように構成されているモバイル装置と
を含むことを特徴とするシステム。
【請求項１１】
前記モバイル装置は、前記ＶＰＮ情報でブートストラップされることを特徴とする請求項１０に記載のシステム。
【請求項１２】
前記モバイル装置は、前記ＶＰＮ情報でプロビジョニングされるＳＩＭカードをさらに含むことを特徴とする請求項１１に記載のシステム。
【請求項１３】
前記サーバは、前記ＶＰＮ情報を前記モバイル装置に転送するようにさらに構成されていることを特徴とする請求項１０に記載のシステム。
【請求項１４】
前記モバイル装置は、決定されたネットワーク接続に基づいて更新されたＶＰＮ情報を受信するようにさらに構成されていることを特徴とする請求項１１に記載のシステム。
【請求項１５】
前記ＷＡＰ  ＸＭＬスキーマに組み込まれた前記ＶＰＮ情報は、ＷＡＰ  ＸＭＬ構造を拡張して前記ＶＰＮ情報を定義するようにするステップをさらに含むことを特徴とする請求項１０に記載のシステム。
【請求項１６】
前記ＷＡＰ  ＸＭＬスキーマに組み込まれた前記ＶＰＮ情報は、前記ＷＡＰ  ＸＭＬスキーマに関連するスタンドアロン特性を作成するステップをさらに含むことを特徴とする請求項１０に記載のシステム。
【請求項１７】
モバイル装置にＶＰＮ情報を自動的にプロビジョニングするコンピュータ可読媒体であって、
ＶＰＮ定義を作成すること、
前記ＶＰＮ定義をＷＡＰ  ＸＭＬスキーマに組み込むこと、
前記モバイル装置からネットワークへの安全なトンネルを作成する前記ＷＡＰ  ＸＭＬスキーマを使用して前記モバイル装置にＶＰＮ接続をプロビジョニングすること
を含むことを特徴とするコンピュータ可読媒体。
【請求項１８】
前記モバイル装置に前記ＶＰＮ接続をプロビジョニングするステップは、前記ＶＰＮ接続をＳＩＭカードにロードするステップをさらに含むことを特徴とする請求項１７に記載のコンピュータ可読媒体。
【請求項１９】
前記ＶＰＮ定義を作成するステップは、前記ＷＡＰ  ＸＭＬスキーマに関連するスタンドアロン特性を作成するステップをさらに含むことを特徴とする請求項１７に記載のコンピュータ可読媒体。
【請求項２０】
前記ＶＰＮ定義を作成するステップは、前記ＷＡＰ  ＸＭＬスキーマに関連する既存の特性を拡張するステップをさらに含むことを特徴とする請求項１７に記載のコンピュータ可読媒体。
【発明の詳細な説明】
【技術分野】
【０００１】
本発明は、ＶＰＮ接続を定義するためのＷＡＰ  ＸＭＬ拡張に関する。
【背景技術】
【０００２】
今日、現在の情報で更新されたユーザを維持するように設計されている様々なモバイル装置がある。これらには、ＰＤＡ（Ｐｅｒｓｏｎａｌ Ｄｉｇｉｔａｌ Ａｓｓｉｓｔａｎｔｓ）、無線電話、電子メール装置などがある。モバイル装置は現在、様々な手段を介してインターネットに接続することができ、したがってインターネットを介して情報を交換する。しかし、インターネットに加えて、これらのモバイル装置は、ユーザの企業ネットワーク上でも情報を送受信することを求めている。これには、電子メール、電子メールへの添付、Ｗｅｂページコンテンツなどが含まれる。
【０００３】
多くの企業は、ＶＰＮ（仮想プライベートネットワーク）を介してインターネットから各自の企業ネットワークにアクセスできるようにしている。パブリックインターネット接続からプライベート／企業ネットワークへの安全なトンネルを確立するためにＶＰＮ接続が使用される。ほとんどの企業は、パブリックインターネット接続からプライベートネットワークへのこうした安全な接続を可能にしている。そのため、インターネットへの接続を備えたモバイル装置は、企業ネットワークにアクセスするためにＶＰＮ接続を使用することができる。しかし、モバイル装置からＶＰＮを介してユーザの企業ネットワークに接続することはしばしば厄介である。
【発明の開示】
【発明が解決しようとする課題】
【０００４】
ほとんどのセルラー式ネットワークは、典型的には、モバイル装置が低速の回線交換式ＲＡＳ接続または高速ＧＰＲＳ／１ｘＲＴＴデータ接続のいずれかを介してインターネットに接続する方法を提供するが、モバイル装置がその会社のＶＰＮを介して各自の企業ネットワークに容易に接続できる方法が必要である。
【課題を解決するための手段】
【０００５】
本発明は、ユーザが各自の装置を使用して、各自の企業ネットワークに自動的に接続できるようにモバイル装置にＶＰＮ情報を自動的にプロビジョニングすることを対象としている。ＸＭＬベース機構は、ＷＡＰ（無線アプリケーションプロトコル）ＸＭＬ構造を使用し、その構造を拡張してＶＰＮ接続を定義し、無線を介して、または企業によって提供されるＩＴアプリケーションによってＶＰＮ接続を装置に自動的にプロビジョニングする。
【発明を実施するための最良の形態】
【０００６】
簡単に言えば、本発明は、ユーザが各自の装置を使用して、各自の企業ネットワークに自動的に接続できるようにモバイル装置にＶＰＮ（仮想プライベートネットワーク）情報を自動的にプロビジョニングすることを対象としている。ＸＭＬベース機構は、ＷＡＰ（無線アプリケーションプロトコル）ＸＭＬ構造を使用し、その構造を拡張してＶＰＮ接続を定義し、無線を介して、または企業によって提供されるＩＴアプリケーションによってＶＰＮ接続を装置に自動的にプロビジョニングする。本発明のこれらおよび他の態様は、次の詳細な説明を読めば当分野の技術者には理解できよう。
【０００７】
（動作環境例）
図１を参照すると、本発明を実施するシステムの一例は、コンピューティング装置１００などのコンピューティング装置を含んでいる。ごく基本的な構成では、コンピューティング装置１００は典型的には、少なくとも１つの処理ユニット１０２およびシステムメモリ１０４を含む。コンピューティング装置の正確な構成および種類にもよるが、システムメモリ１０４は、揮発性（ＲＡＭなど）、不揮発性（ＲＯＭ、フラッシュメモリなど）、またはその２つの何らかの組み合わせとすることができる。システムメモリ１０４は典型的には、オペレーティングシステム１０５、１つまたは複数のプログラムモジュール１０６を含んでおり、またプログラムデータ１０７を含むことができる。この基本的な構成は、図１に、点線１０８内のこれらの構成要素で示している。
【０００８】
コンピューティング装置１００は、追加の特徴または機能を有していてもよい。例えば、コンピューティング装置１００はまた、磁気ディスク、光ディスク、テープなど、追加のデータ記憶装置（リムーバブルおよび／または非リムーバブル）を含んでいてもよい。こうした追加の記憶装置は、図１に、リムーバブル記憶装置１０９および非リムーバブル記憶装置１１０で示している。コンピュータ記憶媒体には、コンピュータ可読命令、データ構造、プログラムモジュール、他のデータなど、情報を記憶するための任意の方法または技術で実施される揮発性および不揮発性の、リムーバブルおよび非リムーバブルの媒体などがある。システムメモリ１０４、リムーバブル記憶装置１０９、および非リムーバブル記憶装置１１０は、すべてコンピュータ記憶媒体の例である。コンピュータ記憶媒体には、それだけには限定されないが、ＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光記憶装置、磁気カセット、磁気テープ、磁気ディスク記憶装置または他の磁気記憶装置、または所望の情報の格納に使用でき、コンピューティング装置１００がアクセスできる他の任意の媒体などがある。こうした任意のコンピュータ記憶媒体は、装置１００の一部とすることができる。コンピューティング装置１００は、キーボード、マウス、ペン、音声入力装置、タッチ入力装置などの入力装置１１２を備えることもできる。また、ディスプレイ、スピーカ、プリンタなどの出力装置１１４を含んでいてもよい。
【０００９】
また、コンピューティング装置１００は、この装置が例えばネットワークを介して他のコンピューティング装置１１８と通信できるようにする通信接続１１６を含んでいてもよい。通信接続１１６は、通信媒体の一例である。通信媒体は通例、搬送波または他の移送機構などの変調されたデータ信号中のコンピュータ可読命令、データ構造、プログラムモジュール、あるいはその他のデータによって具現することができ、任意の情報伝達媒体を含む。用語「変調されたデータ信号」とは、信号中に情報を符号化する形でその特性の１つまたは複数を設定または変化させた信号を意味する。例として、これには限定されないが、通信媒体には、有線ネットワーク、直接配線された接続などの有線媒体、および音響、ＲＦ、赤外線、その他の無線媒体などの無線媒体が含まれる。本明細書で使用する「コンピュータ可読媒体」という用語は、記憶媒体および通信媒体の両方を含む。
【００１０】
図２を参照すると、本発明を実施するシステムの一例は、モバイル装置２００などのモバイル装置を含んでいる。モバイル装置２００は、プロセッサ２６０、メモリ２６２、ディスプレイ２２８、およびキーパッド２３２を有する。メモリ２６２は一般に、揮発性メモリ（ＲＡＭなど）、および不揮発性メモリ（ＲＯＭ、フラッシュメモリなど）を含む。モバイル装置２００は、メモリ２６２に存在し、プロセッサ２６０上で実行される、Ｍｉｃｒｏｓｏｆｔ（登録商標）社のＷｉｎｄｏｗｓ（登録商標）ＣＥオペレーティングシステムや他のオペレーティングシステムなどのオペレーティングシステム２６４を含む。キーパッド２３２は、（例えば典型的な電話上にある）プッシュボタン数字ダイヤルパッド、（従来のキーボードなどの）マルチキーキーボードでよい。ディスプレイ２２８は、液晶ディスプレイ、または一般にモバイル装置で使用されている他の任意の種類のディスプレイとすることができる。ディスプレイ２２８は、タッチセンシティブでよく、その場合は入力装置としての役割も果たすことになる。
【００１１】
１つまたは複数のアプリケーションプログラム２６６は、メモリ２６２にロードされ、オペレーティングシステム２６４上で稼働する。アプリケーションプログラムの例には、電話ダイヤラプログラム、電子メールプログラム、スケジューリングプログラム、ＰＩＭ（個人情報管理）プログラム、文書処理プログラム、スプレッドシードプログラム、インターフェースブラウザプログラムなどがある。モバイルコンピューティング装置２００は、メモリ２６２内に不揮発性記憶装置２６８も含む。不揮発性記憶装置２６８は、モバイルコンピューティング装置２００の電源が切られた場合に失われてはならない永続的な情報を格納するために使用することができる。アプリケーション２６６は、例えば電子メールアプリケーションで使用する電子メールまたは他のメッセージ、ＰＩＭで使用する連絡先情報、スケジューリングプログラムで使用する予約情報、文書処理プログラムで使用する文書など、記憶装置２６８内の情報を使用し、また情報を記憶装置２６８に格納することができる。
【００１２】
モバイルコンピューティング装置２００は、１つまたは複数のバッテリとして実装することができる電源装置２７０を有する。電源装置２７０は、バッテリを補う、または再充電するＡＣアダプタやパワードドッキングクレードル（ｐｏｗｅｒｅｄ  ｄｏｃｋｉｎｇ  ｃｒａｄｌｅ）など外部電源をさらに含むことができる。
【００１３】
また、モバイルコンピューティング装置２００は、ＬＥＤ（図示せず）および音声インターフェース２７４などの外部通知機構を含んでいてもよい。これらの装置は、バッテリ電源を保護するためにプロセッサ２６０および他の構成要素がシャットダウンした場合でさえも、起動されると、通知機構が要求する期間の間電源が入ったままになるように、電源装置２７０に直結することができる。音声インターフェース２７４は、可聴信号をユーザに提供し、また可聴信号をユーザから受信するために使用される。例えば、音声インターフェース２７４は、可聴出力を提供するスピーカ、および可聴入力を受けるマイクロフォンに結合して、例えば電話での会話を容易にすることができる。
【００１４】
また、モバイルコンピューティング装置２００は、装置が例えば無線ネットワークを介して他のコンピューティング装置と通信できるようにする通信接続２４０を含んでいてもよい。モバイルコンピューティング装置２００は、無線周波数通信（ｒａｄｉｏ ｆｒｅｑｕｅｎｃｙ ｃｏｍｍｕｎｉｃａｔｉｏｎｓ）を送受信する機能を実行する無線インターフェース層２７２（ｒａｄｉｏ  ｉｎｔｅｒｆａｃｅ  ｌａｙｅｒ）も含んでいる。無線インターフェース層２７２は、通信事業者またはサービスプロバイダを介してモバイルコンピューティング装置２００と外界との間の無線接続を容易にする。無線インターフェース層２７２との間の伝送は、オペレーティングシステム２６４の制御下で行われる。言い換えれば、無線インターフェース層２７２および通信接続２４０によって受信される通信は、オペレーティングシステム２６４を介してアプリケーションプログラム２６６に発信される。またその逆も同様である。
【００１５】
（ＶＰＮシステム例）
図３は、本発明の態様によるＶＰＮプロビジョニングシステム３００の概略を示す機能ブロック図である。サーバ３１０は、図１と共に上述したものなどのコンピューティング装置であり、モバイル装置３２０は、図２と共に上述したものなどのモバイルコンピューティング装置である。
【００１６】
本発明の一実施形態では、サーバ３１０は、企業ネットワーク３４０との安全な接続を確立する企業ネットワーク上のサーバとして構成される。ＷＡＮの例には、ゲートウェイ、ルータ、スイッチ、ハブなどのホストを介して何百万ものコンピュータと接続するインターネット（３５０）がある。ＬＡＮの例には、単一のオフィス内で複数のコンピュータを接続するために使用するネットワークがある。ＷＡＮは、複数のＬＡＮを接続することができる。
【００１７】
いくつかのモバイル装置を１人のユーザに関連付けることができる。例えばユーザは、ＰＤＡ、セルラー式電話、電子メール装置などを持っている場合がある。一実施形態では、サーバ３１０は、ＶＰＮ接続に関するデータを備えるＶＰＮプロビジョニングデータベースを維持する。
【００１８】
典型的なモバイル装置は、複数の接続パスを使用してインターネットまたは企業ネットワークに接続できる能力を有する。ＶＰＮ接続によって、インターネットから企業ネットワークへの、装置の主要な接続パスのうちの１つが実行可能になる。ＸＭＬベースの機構は、ＷＡＰ  ＸＭＬ構造を使用し、その構造を拡張してこうしたＶＰＮ接続を定義し、これを、無線を介して、または企業または他の手段（例えばＳＩＭカードベースのプロビジョニング、Ｂｌｕｅｔｏｏｔｈなど）によって提供されるＩＴアプリケーションによって装置に自動的にプロビジョニングするように指定される。
【００１９】
図３内に示すように、モバイル装置３２０は、インターネット３５０、ＷＡＰ  Ｗｅｂサイト３７８、ＭＭＳ  Ｗｅｂサイト３６６、および企業ネットワーク３４０に接続することができる。モバイル装置３２０は、Ｃｏｒｐ  ＲＡＳ３５４およびＷｉＦｉ３５２を使用して企業Ｗｅｂサイト３４０に接続する。モバイル装置３２０は、ＲＡＳ２  ３５８、ＧＰＲＳ  ２  ３５６、およびプロキシ３８０を介してインターネット３５０に接続する。モバイル装置３２０は、ＧＰＲＳ  １（３６０）、ＲＡＳ  １（３６２）、およびＳＭＳＣ  ３６４を介してＷＡＰ  Ｗｅｂサイト３７８に接続する。モバイル装置３２０は、ＧＰＲＳ  ３（３７０）を通ってＭＭＳゲートウェイ３６８を介してＭＭＳ  Ｗｅｂサイト３６６に接続する。
【００２０】
企業ネットワーク３４０からＷＡＰ  Ｗｅｂサイトへは、Ｃｏｒｐ  ＲＡＳ３５４からＣｏｒｐ  ＷＡＰ  Ｇａｔｅｗａｙへ、さらにＳＯＣＫＳプロキシおよびＨＴＴＰプロキシを介したインターネットへのパスがある。インターネットから企業ネットワークへは、ＶＰＮが使用される。
【００２１】
パブリックインターネット（３５０）接続からプライベート／企業ネットワーク（３４０）への安全なトンネルを確立するためにＶＰＮ（仮想プライベートネットワーク）接続が使用される。ほとんどの企業は、パブリックインターネット接続から各自のプライベートネットワークへの安全な接続を使用可能にし、セルラー式ネットワークは典型的には、低速の回線交換式ＲＡＳ接続または高速ＧＰＲＳ／１ｘＲＴＴデータ接続のいずれかを介してモバイル装置がインターネットに接続する方法を提供するので、ユーザが各自の装置を使用して各自の企業ネットワークに自動的に接続できるように、モバイル装置（３２０）に自動的にＶＰＮ情報をプロビジョニングすることが有用である。
【００２２】
ＸＭＬを介したこうしたプロビジョニングを使用可能にすることによって、装置をＶＰＮ接続の設定でブートストラップし、その設定を定期的に更新するよく知られている標準化された機構をオペレータおよび企業に提供する。標準のＷＡＰ  ＸＭＬ構造は、ＶＰＮ接続設定をサポートするように拡張される。
【００２３】
ＸＭＬベースのプロビジョニングを、装置をＶＰＮ接続で構成する手段として使用する。ＶＰＮ接続のプロビジョニングを使用可能にするために、ＶＰＮ定義をＷＡＰ  ＸＭＬスキーマの一部とし、スタンドアロン特性を使用して（またはＷＡＰ  ＸＭＬにおいてすでに定義されている特性を拡張して）ＶＰＮ接続を定義する。
【００２４】
ＶＰＮ接続のＸＭＬベースのプロビジョニングを使用することによって、オペレータまたは企業は、装置を通常のデータ接続およびプロキシ接続に加えて、ＶＰＮ接続でブートストラップできるようにする。ＶＰＮ設定をプロビジョニングするためのよく知られている標準化された機構を提供することに加えて、ＸＭＬを使用することによって、これらの設定の定期的な更新を容易に行うことができる。ＸＭＬ情報は、様々な手段を介して配布することができる。
【００２５】
ＷＡＰ  ＸＭＬは、セルラー式データ接続（ＧＳＭ−ＣＳＤ、ＧＳＭ−ＧＰＲＳなど）、プロキシ接続、およびアクセス特性をプロビジョニングするように、すでにＸＭＬスキーマを定義している。合わせて、これらによって装置に様々な接続設定、およびアプリケーション固有の接続基本設定をプロビジョニングすることができる。ＶＰＮ定義をＷＡＰ  ＸＭＬの一部とすることによって、ＷＡＰ  ＸＭＬ標準はより完全になると同時に、ＶＰＮプロビジョニングを使用できるようにするために、ＷＡＰによって定義された既存の特性／パラメータ構造を使用することによって要求される追加のＸＭＬを装置が実装することが容易になる。
【００２６】
本発明の２つの実施形態によれば、ＷＡＰ  ＸＭＬ内でＶＰＮを定義する方法は２つある。それは、スタンドアロン特性によるもの、またはすでに定義されている特性を拡張することによるものである。
【００２７】
スタンドアロン特性の使用は、ＶＰＮ定義をＷＡＰ  ＸＭＬの一部とするのに最も簡単な方法である。ＶＰＮＤＥＦと呼ばれるスタンドアロン特性を使用して、ＶＰＮ接続に関連するすべての設定を指定することができる。
【００２８】
【表１】
2005100384.tif 000003
【００２９】
次の例は、ＶＰＮ接続の設定を定義するためにＶＰＮＤＥＦ特性をどのように使用するかを示す。
【００３０】
【表２】
2005100384.tif 000004
【００３１】
別の選択肢は、すでに定義されている特性（ＰＸＬＯＧＩＣＡＬまたはＮＡＰＤＥＦ）を拡張してＶＰＮ定義をサポートするようにすることである。この実施形態によれば、新しい「パラメータ」定義が、ＶＰＮ固有の設定をサポートするようにそれらの特性内で定義される。ＰＸＬＯＧＩＣＡＬまたはＮＡＰＤＥＦ内で定義される設定の多くは、ＶＰＮの場合は適用できないため、前に概説したスタンドアロン特性手法が好ましい。
【００３２】
図４は、本発明の態様により、装置にＶＰＮ接続をプロビジョニングする処理を示す図である。
【００３３】
開始ブロックの後、処理はブロック４１０に移行し、そこでＶＰＮプロビジョニングパラメータが取得される。パラメータは、異なる多くの方法で取得することができる。例えば、パラメータを、モバイル装置に関連するＳＩＭカードに格納したり、プログラムによって装置に転送したりすることができる。ブロック４２０に移行すると、パラメータは装置に自動的に組み込まれる。このようにユーザは、ＶＰＮ接続に関連するすべてのパラメータを手動で設定する必要がない。ブロック４３０に移行すると、ＶＰＮに接続するために装置が使用するネットワーク接続を決定することができる。これは、異なる多くの方法で達成することができる。例えば、装置には接続がすでにわかっている場合がある。あるいは、装置が新しい接続を学ぶと、これらの接続を装置に組み込むことができる。ブロック４４０に移行すると、ＶＰＮに接続するために使用するネットワーク接続は、決定されたネットワーク接続に基づいて更新することができる。次いでこのプロセスは、終了ブロックに移動し、他のアクションの処理に戻る。
【００３４】
上記の明細書、例、およびデータは、本発明の構成の製造および使用の完全な説明を提供する。本発明の多くの実施形態は、本発明の意図および範囲から逸脱することなく作成することができるので、本発明は、添付の特許請求の範囲に存する。
【図面の簡単な説明】
【００３５】
【図１】コンピューティング装置の例を示す図である。
【図２】モバイル装置の例を示す図である。
【図３】ＶＰＮプロビジョニングシステムの例を示す機能ブロック図である。
【図４】本発明の態様による、装置にＶＰＮ接続をプロビジョニングする処理を示す図である。
【符号の説明】
【００３６】
１００  コンピューティング装置
１０２  処理ユニット
１０４  システムメモリ
１０５  オペレーティングシステム
１０６  プログラムモジュール
１０７  プログラムデータ
１０９  リムーバブル記憶装置
１１０  非リムーバブル記憶装置
１１２  入力装置
１１４  出力装置
１１６  通信接続
１１８  他のコンピューティング装置
２２８  ディスプレイ
２３２  キーパッド
２４０  通信接続
２６０  プロセッサ
２６２  メモリ
２６８  記憶装置
２７０  電源装置
２７２  無線インターフェース層
２７４  音声インターフェース
３１０  サーバ
３２０  モバイル装置
３８０  プロキシ
３４０  企業Ｗｅｂサイト
３５０  ＨＴＭＬインターネットＷｅｂサイト
３５６  ＧＰＲＳ  ２
３５８  ＲＡＳ２
３６０  ＧＰＲＳ  １
３６２  ＲＡＳ  １
３６４  ＳＭＳＣ
３６６  ＭＭＳ  Ｗｅｂサイト
３６８  ＭＭＳゲートウェイ
３７８  ＷＡＰ  Ｗｅｂサイト
３８０  プロキシ
【図１】
2005100384.tif 000005
【図２】
2005100384.tif 000006
【図３】
2005100384.tif 000007
【図４】
2005100384.tif 000008